(57)【特許請求の範囲】
【請求項１】
樹脂材料からなる調理器本体、該調理器本体内に設置された遮熱板、該遮熱板上に設けられたヒータ、該ヒータ上に着脱自在に設置される調理プレート等からなるホットプレートにおいて、
前記調理器本体の側壁の外周面に切り欠き部が設けられた横方向と縦方向又はいずれか一方のリブを設けて、該側壁の下部に複数の吸気穴を設けると共に上部に複数の排気穴を設け、前記側壁の外周に前記リブを介して金属板を装着し、該側壁と金属板との間に前記吸気穴から流入した外気が流動して前記排気穴から排出されるすき間を形成したことを特徴とするホットプレート。
【請求項２】
前記調理器本体の側壁に複数の係止穴を設けると共に、前記金属板に該係止穴に係止する係止爪を設けたことを特徴とする請求項１記載のホットプレート。
【請求項３】
前記調理器本体の側壁と該側壁の外周に装着した金属板との間に形成されたすき間の下方を上方より大きく形成したことを特徴とする請求項１又は２に記載のホットプレート。
【発明の詳細な説明】
【０００１】
【発明の属する技術分野】
本発明は、調理プレート内の被調理物をヒータで加熱して調理するホットプレートに関すものである。
【０００２】
【従来の技術】
図１２は従来のホットプレートの一例を示す断面図である。図において、１は樹脂材料からなる調理器本体で、側壁１ａの上端部は外方に折曲げられたのち下方に折曲げられて第２の側壁２１が形成されている。２は調理器本体１内に設置された遮熱板で、３は遮熱板２の上面に設けたヒータ、４はヒータ３上に着脱可能に載置された調理プレートである。６は調理プレート４の蓋体、７はその取っ手で、これら遮熱板２、ヒータ３、調理プレート４、蓋体６の大部分は、調理器本体１の側壁１ａ内に収容されている。
【０００３】
ここで、調理器本体１の側壁１ａの外周にさらに第２の側壁２１を設けたので、樹脂材料からなる調理器本体１の補強、及び側壁１ａと第２の側壁２１との間に断熱層２２を設けて、調理の際に側壁１ａの周面が高温になるのを防止するためである。
【０００４】
上記のようなホットプレートにおいては、調理プレート４内に被調理物を入れて蓋体６で蓋をし、ヒータ３に通電して被調理物を加熱し、調理する。調理にあたっては、遮熱板２や調理プレート４が加熱されるが、その輻射熱により側壁１ａも加熱される。しかし、側壁１ａの外周には断熱層２２を隔てて第２の側壁２１が設けられて輻射熱の影響を受けないようにしているので、人が触れ易いこの部分の温度は低く保たれている。
【０００５】
【発明が解決しようとする課題】
上記のような従来のホットプレートにおいて、調理器本体１の補強と側壁１ａの近傍の温度上昇を抑えるために第２の側壁２１を設けているが、このため、ホットプレート全体の外形が大きくなり、テーブル等に載置する場合に大きなスペースが必要である。
また、調理器本体１の側壁１ａの加熱をできるだけ低く抑えるために、遮熱板２及び調理プレート４と、側壁１ａとの間隙を大きくしており、この点もホットプレートが大型化する要因となっていた。
【０００６】
本発明は、上記の課題を解決するためになされたもので、調理器本体の強度を低下することなく、小型で使い勝手のよいホットプレートを提供することを目的としたものである。
【０００７】
【課題を解決するための手段】
本発明は、樹脂材料からなる調理器本体、該調理器本体内に設置された遮熱板、該遮熱板上に設けられたヒータ、該ヒータ上に着脱自在に設置される調理プレート等からなるホットプレートにおいて、前記調理器本体の側壁の外周面に切り欠き部が設けられた横方向と縦方向又はいずれか一方のリブを設けて、該側壁の下部に複数の吸気穴を設けると共に上部に複数の排気穴を設け、前記側壁の外周に前記リブを介して金属板を装着し、該側壁と金属板との間に前記吸気穴から流入した外気が流動して前記排気穴から排出されるすき間を形成したものである。
【０００８】
上記の調理器本体の側壁に複数の係止穴を設けると共に、前記金属板に該係止穴に係止する係止爪を設けた。
【００１１】
上記の、調理器本体の側壁と該側壁の外周に装着した金属板との間に形成されたすき間の下方を上方より大きく形成した。
【００１２】
【発明の実施の形態】
［実施の形態１］
図１は本発明の実施の形態１に係るホットプレートの外観斜視図、図２はその縦断面図である。
両図において、１は側壁１ａを有する箱状の調理器本体で、２は調理器本体１に設置された遮熱板である。３は遮熱板２の上面に設置されたヒータ、４はヒータ３の上面に着脱可能に載置された調理プレートで、両側に取っ手５が設けられている。６は調理プレート４の蓋体、７はその取っ手である。８は取っ手５の両側において調理器本体１の側壁１ａの外面に装着された金属板、９は調理器本体１に着脱可能に取付けられた操作部で、電源コード１０により電源に接続される。
【００１３】
調理器本体１の側壁１ａの高さ方向のほぼ中央から上方（以下、説明を容易にするため、この領域を周壁１１という）には、図３に示すように、上下に平行に横リブ１２ａ，１２ｂが突設されており、この横リブ１２ａ，１２ｂは長手方向に複数の切り欠き部１３が設けられている。また、長手方向に所定の間隔で上下の横リブ１２ａ，１２ｂを連結するそれぞれ２条の縦リブ１４ａ，１４ｂが設けられており、上下方向のほぼ中央部には切り欠き部１３が設けられている。
【００１４】
１５ａ，１５ｂは縦リブ１４ａ，１４ｂの間において、横リブ１２ａ，１２ｂの上下に設けられた係止穴であり、下部の係止穴１５ｂの間には、必要に応じてさらに係止穴１５ｃが設けられている。１６は下部の横リブ１２ｂの上方において周壁１１に貫設した複数の吸気穴、１７は上部の横リブ１２ａの下方において周壁１１に貫設した複数の排気穴である。
【００１５】
図４（ａ）に金属板８の一例を示す。この金属板８は、調理器本体１の周壁１１に設けた係止穴１５ａ，１５ｂ間の高さに対応した幅で、放熱性の良好な板状の金属材料を、周壁１１の形状（前面又は後面から調理プレート４の取っ手５の両端部までの形状）に対応してコ字状に折曲げて形成したものである。そして、その上縁部には周壁１１に設けた上部の係止穴１５ａに挿入される係止爪８１ａが前面と直交して設けられており、また、下縁部には、周壁に設けた下部の係止穴１５ｂ，１５ｃに挿入される係止爪８１ｂが前面と直交して設けられている。さらに、両側端部には、周壁１１の両側面の上下に設けた係止穴１５ｄ（図５参照）に挿入される係止爪８１ｃが側壁と直交して設けられている。なお、この金属板８は、放熱効果及び意匠性を高めるために、図４（ｂ），（ｃ）に示すように、横方向又は縦方向の波形に形成してもよい。
【００１６】
上記のような金属板８は、図５に示すように、上部の係止爪８１ａを上部の係止穴１５ａに、下部の係止爪８１ｂを下部の係止穴１５ｂ，１５ｃに、さらに、両側端部の係止爪８１ｃを係止穴１５ｄにそれぞれ挿入し、内側に折曲げて周壁１１の外面に装着される。このとき、金属板８の内面と周壁１１の外面との間には、横リブ１２ａ，１２ｂ、縦リブ１４ａ，１４ｂによりすき間Ｇが形成される。
【００１７】
本実施の形態において、調理プレート４に被調理物を入れてヒータ３に通電し、調理を行うと、遮熱板２や調理プレート４からの輻射熱によって側壁１ａが加熱されて熱くなるが、図５に示すように、調理器本体１の底部に設けた通気穴１ｂから流入した外気の一部が、側壁１ａに沿って上昇し、周壁１１に設けた吸気穴１６からすき間Ｇ内に吸い込まれ、切り欠き１３を通ってすき間Ｇ内を流動し、排気穴１７から排出されるので、この間に、金属板８が熱交換されて冷却されるため、金属板１１が熱くなるのを抑制することができる。
【００１８】
上記のように構成した本実施の形態によれば、従来の調理器本体に比べて第２の側壁（折返えし部）が無くなるため、調理器本体の寸法を小さくできて省スペース化することができるので、使い勝手のよいホットプレートを得ることができる。
また、金属板８と周壁１１との間に形成されたすき間Ｇが断熱層となって断熱効果が向上するため、周壁１１と遮熱板２及び調理プレート３との距離を短かくすることができ、調理器本体１をより小型化することができる。
【００１９】
さらに、金属板８は周壁１１に設けた横リブ１２ａ，１２ｂ及び縦リブ１４ａ，１４ｂに当接しているので、外力が加えられても変形するおそれがない。
また、金属板８の上端部は側壁１ａの上部より下方に位置しており、金属板８より上方の人が触れ易い部分は金属板８によって放熱されるため、他よりも温度が低くなり安全である。
【００２０】
［実施の形態２］
図６及び図７は、本発明の実施の形態２に係るホットプレートの要部の説明図である。なお、実施の形態１と同じ部分にはこれと同じ符号を付し、説明を省略する。
本実施の形態は、実施の形態１における調理器本体１の周壁１１に設けた上部の係止穴１５ａを省略し、また、金属板８の上部の係止爪８１ａを省略すると共に、その幅を、下部の係止穴１５ｂから周壁１１の上端部までの高さより広くして、上部を内側に逆Ｕ字状に折曲げて形成したものである。
【００２１】
そして、金属板８の上部の折曲げ部を周壁１１の上端部に嵌合すると共に、下部の係止爪８１ｂを係止穴１５ａ，１５ｃに挿入して内側に折曲げて、周壁１１の外面に装着するようにしたものである。なお、金属板８の両端部に設けた係止爪８１ｃは、実施の形態１の場合と同様に係止穴１５ｄに挿入して折曲げる。
【００２２】
この場合、実施の形態１の場合と同様に、調理器本体１の周壁１１に上部の係止穴１５ａを設けると共に、金属板８の上部の逆Ｕ字状折曲げ部の先端部に係止爪８１ａを設け、金属板８の上部の折曲げ部を周壁１１の上端部に嵌合してその係止爪８１ａを周壁１１の内側から上部の係止穴１５ａに挿入し、周壁１１の外面側に折曲げると共に、下部の係止爪８１ｂを係止穴１５ａ，１５ｃに挿入し、両端部に設けた係止爪８１ｃを係止穴１５ｄに挿入してそれぞれ内側に折曲げて装着するようにしてもよい（図７参照）。
本実施の形態は、実施の形態１の場合とほぼ同様の効果を得ることができる。
【００２３】
［実施の形態３］
図８は本発明の実施の形態３に係るホットプレートの要部の断面図、図９は図８の調理器本体１の側面図である。
本実施の形態が実施の形態１，２と異なる点は、調理器本体１の側壁１ａの上部を外方に折曲げたのち、側壁１ａの高さのほぼ中央部近傍まで下方に折曲げて、側壁１ａの外周に第２の側壁２１を設け、側壁１ａと第２の側壁２１との間に空間部（断熱層）２２を形成し、この第２の側壁２１の外面側に金属板８を装着したものである。
【００２４】
本実施の形態においては、第２の側壁２１の外面側に実施の形態１の場合と同様に、横リブ１２ａ，１２ｂ、縦リブ１４ａ，１４ｂ、切り欠き部１３、係止穴１５ａ，１５ｂ，１５ｃ，１５ｄ、吸気穴１６及び排気穴１７を設け、また、金属板８の上部の係止爪８１ａに切り起しにより抜け止め爪８２を設けてある。
【００２５】
上記のように構成した本実施の形態においては、第２の側壁２１の上部の係止穴１５ａに金属板８の上部の係止爪８１ａを挿入し、その抜け止め爪８２を第２の周壁２１の内壁に係止させ、下部の係止穴１５ｂ，１５ｃに下部の係止爪８１ｂを挿入し、さらに係止爪８１ｃを両側面に設けた係止穴１５ｄに挿入して折曲げて、金属板８を第２の周壁２１の外面側に装着する。
【００２６】
本実施の形態は、調理器本体１の側壁１ａと第２の側壁２１との間に大きな空間部２２が形成されており、この空間部２２の下方から流入した外気は、その一部が吸気穴１６からすき間Ｇ内に導入され、すき間Ｇ内を流動して排気穴１７から排出され、すき間Ｇと空間部２２の間を対流して熱交換を行う。
調理器本体１の側壁１ａは、遮熱板２、調理プレート４からの輻射熱によって加熱され、これらの熱伝導によって第２の側壁２１も加熱されるが、金属板８はすき間Ｇと空間部２２の間を対流する空気及び外気より両面から冷却されるため、温度の上昇が抑えられ熱くなることはない。
【００２７】
上記の説明では、金属板８の上部の係止爪８１ａに抜け止め爪３２を設けた場合を示したが、この抜け止め爪８ａは下部の係止爪８１ｂに設けてもよく、あるいは上下左右の係止爪８１ａ，８１ｂ，８１ｃに設けてもよい。また、これら抜け止め爪８２を設けずに、実施の形態１の場合と同様に、係止爪８１ａ〜８１ｃを係止穴１５ａ〜１５ｄに挿入し、折曲げて固定するようにしてもよい。なお、本実施の形態の抜け止め爪８２は、他の実施の形態においても用いることができる。
【００２８】
このように、本実施の形態においては、調理器本体１の側壁１ａの外周にさらに第２の側壁２１を設けたので、従来技術と同様に、遮熱板２や調理プレート３からの輻射熱によって加熱された側壁１ａの熱が、熱伝導によって第２の側壁２１に伝達されるが、すき間Ｇ及び空間部２２によって形成された断熱層によって冷却されるため、金属板８が熱くなることはない。
このため、調理器本体１の側壁１ａと遮熱板２、調理プレート４との間の距離を狭くすることができ、これにより調理器本体１を小型化し、省スペース化することができる。
【００２９】
［実施の形態４］
図１０は本発明の実施の形態４に係るホットプレートの要部の断面図、図１１は調理器本体の側面図である。
本実施の形態は、実施の形態３における第２の側壁２１の上部に設けた係止穴１５ａを省略すると共に、排気穴１７を側壁と第２の周壁２１との間に形成された折曲げ部２１ａに設け、また、側壁１ａの内側（調理プレート４側）に、第２の側壁２１と同様に、横リブ１２ｃ及び縦リブ（図には示されていない）を設け、下部（第２の周壁２１の上下方向のほぼ中間部に対応する位置）に係止穴１５ｅを設けたものである。
【００３０】
また、金属板８はその幅を広くして、第２の側壁２１から折曲げ部２１ａ、側壁１ａの係止穴１５ｅに至る形状に対応してほぼ逆Ｊ字状に曲げ加工し、その下部に係止爪８１ｂを、また他端部に抜け止め爪８２を有する係止爪８１ａを設け、左右の端部に係止爪８１ｃを設けた。
【００３１】
本実施の形態においては、上記のような金属板８を、その弾性を利用して折曲げ部２１ａの上方から側壁１ａと第２の側壁２１に嵌合し、係止爪８１ａを係止穴１５ｅに挿入してその抜け止め爪８２を側壁１ａの背面に係止させ、他方の係止爪８１ｂを係止穴１５ｂ，１５ｃに、左右の係止爪８１ｃを係止穴１５ｄに挿入して折曲げて、金属板８を側壁１ａと第２の側壁２１に装着する。
【００３２】
本実施の形態においても、実施の形態３の場合とほぼ同様の効果を得ることができるが、さらに、金属板８の外気との接触面積が大きいので、冷却効果をより高めることができる。
【００３３】
［実施の形態５］
本実施の形態は、上述の実施の形態１〜４において、側壁１ａ又は第２の側壁２１（実施の形態４においては側壁１ａを含む）に設けた上下の横リブ１２ａ，１２ｂのうち、下部の横リブ１２ｂを上部の横リブ１２ａより高く（突出長を長く）形成し、また、縦リブ１４ａ，１４ｂを下部の横リブ１２ｂに対応して下方になるにしたがって高く形成したもので、これにより金属板８と側壁１ａ又は第２の側壁２１との間に形成されるすき間Ｇを、下部になるほど広くなるようにした。
【００３４】
このように構成した本実施の形態においては、多量の外気が吸込穴１６から容易に流入し、すき間Ｇ内で暖められた空気を排気穴１７から押し出すので、金属板８の冷却をさらに促進することができる。
【００３５】
上記の説明では、調理器本体１の側壁１ａ又は第２の側壁２１に、横リブ１２ａ，１２ｂ及び縦リブ１４ａ，１４ｂを設けた場合を示したが、これらの一部又はいずれか一方を省略してもよい。
また、金属板８を金属材料で形成した場合を示したが、放熱性の良い材料であれば、金属材料以外の材料を用いてもよい。さらに、金属板８を調理器本体１の周壁１１の前面（又は後面）から調理器本体１の取っ手５までの形状に対応してコ字状に形成した場合を示したが、周壁１１の全周に金属板８を装着するようにしてもよい。
【００３６】
【発明の効果】
本発明は、樹脂材料からなる調理器本体、該調理器本体内に設置された遮熱板、該遮熱板上に設けられたヒータ、該ヒータ上に着脱自在に設置される調理プレート等からなるホットプレートにおいて、前記調理器本体の側壁又は第２の側壁の外周面に切り欠き部が設けられた横方向と縦方向又はいずれか一方のリブを設けて、該側壁の下部に複数の吸気穴を設けると共に上部に複数の排気穴を設け、前記側壁の外周に前記リブを介して金属板を装着し、該側壁と金属板との間に前記吸気穴から流入した外気が流動して前記排気穴から排出されるすき間を形成したので、調理器本体の強度を低下することなく小型化して省スペース化することができる。
【００３７】
また、側壁に設けたリブとこれに装着した金属板との間に形成されたすき間を流動する空気により金属板の加熱を抑制することができる。また、リブを設けたことにより金属板に外力が加えられても容易に変形することがなく、すき間を確保することができる。
さらに、側壁に複数の吸気穴及び排気穴を設けたので、吸気穴からすき間に導入された外気が、切欠き部を通ってすき間内を流動し、熱交換された熱い空気が排気穴から排出するようにしたので、金属板の加熱を抑制することができる。
【００３８】
また、側壁に複数の係止穴を設け、金属板に設けた係止爪をこの係止穴に挿入して係止させるようにしたので、金属板を調理器本体に確実に取付けることができる。
【００４１】
上記のホットプレートにおいて、調理器本体の側壁又は第２の側壁と、これら側壁又は第２の側壁の外周に装着した金属板との間に形成されたすき間の下方を上方より大きく形成したので、温度の低い空気が吸気口からスムーズにすき間内に流入し、熱交換された温度の高い空気を排気穴から押し出すので、金属板の冷却をより促進することができる。
【図面の簡単な説明】
【図１】  本発明の実施の形態１に係るホットプレートの外観斜視図である。
【図２】  図１の縦断面図である。
【図３】  図１の調理器本体の側面図である。
【図４】  図１の金属板の斜視図及び断面図である。
【図５】  図２の要部の拡大図である。
【図６】  本発明の実施の形態２に係るホットプレートの調理器本体の一部を示す側面図である。
【図７】  実施の形態２に係るホットプレートの要部の断面図である。
【図８】  本発明の実施の形態３に係るホットプレートの要部の断面図である。
【図９】  図８の調理器本体の側面図である。
【図１０】  本発明の実施の形態５に係るホットプレートの要部の断面図である。
【図１１】  図１０の調理器本体の要部の側面図である。
【図１２】  従来のホットプレートの一例の縦断面図である。
【符号の説明】
１  調理器本体、１ａ  側壁、２  遮熱板、３  ヒータ、４  調理プレート、６  蓋体、８  金属板、８１ａ〜８１ｃ  係止爪、１１  周壁、１２ａ，１２ｂ，１２ｃ  横リブ、１３  切欠き、１４ａ，１４ｂ  縦リブ、１５ａ，１５ｂ，１５ｃ，１５ｄ  係止穴、１６  吸気穴、１７  排気穴、２１  第２の側壁、２２  空間部、Ｇ  すき間。
【図１】
0003731184.tif 000002
【図２】
0003731184.tif 000003
【図３】
0003731184.tif 000004
【図４】
0003731184.tif 000005
【図５】
0003731184.tif 000006
【図６】
0003731184.tif 000007
【図７】
0003731184.tif 000008
【図８】
0003731184.tif 000009
【図９】
0003731184.tif 000010
【図１０】
0003731184.tif 000011
【図１１】
0003731184.tif 000012
【図１２】
0003731184.tif 000013